(57)【特許請求の範囲】
【請求項１】
前端面が開放した箱型の格納部と、
該格納部に前後方向移動可能に収容され、前方移動限において前部が格納部前端面から突出する引出体と、
カップ挿通孔を有し、上記引出体に、回動可能でかつ上下方向揺動可能に取り付けられた左右一対のサポート体と、
上記両サポート体をそれぞれ互いに相反する外側方へと回動するように付勢する付勢手段と、
上記引出体に上記両サポート体の基端部下方に存してそれぞれ設けられ、ぞれぞれサポート体の付勢方向に向かって漸次高さが高くなるガイド突起を具備してなり、
上記引出体が上記格納部内に格納された常時は、上記サポート体が格納部の両側壁に押圧されて上記付勢手段の付勢力に抗して互いに重なった状態で格納され、引出体を格納部から引き出した際には、格納部両側壁の押圧力から解放された上記両サポート体がそれぞれ外側方へと回動すると共に、上記ガイド突起に案内されてそれぞれの自由端側が上方へと持ち上がるように構成したことを特徴とするカップホルダー。
【請求項２】
上記引出体に立設した回動軸を、上記サポート体の基端部に設けられた大径の回動孔に挿通させて、各サポート体を回動可能でかつ上下方向揺動可能に取り付けると共に、上記回動軸に巻回したコイルバネによって各サポート体を互いに相反する外側方へと付勢すると共に、該サポート体の基端部を下方へと押圧付勢した請求項１記載のカップホルダー。
【請求項３】
一方のガイド突起の最低端部の高さが、他方のガイド突起の最低端部の高さよりも高く設定されており、格納時に、上記一方のガイド突起にガイドされて回動する一方のサポート体の下側に上記他方のガイド突起にガイドされて回動する他方のサポート体がもぐり込み、両サポート体が重なり合った状態で格納されるように構成された請求項１又は２記載のカップホルダー。
【発明の詳細な説明】
【０００１】
【発明の属する技術分野】
本発明は、自動車のインストルメントパネルなどに組み込んで使用される引き出し式のカップホルダーに関し、更に詳述すると、非常にコンパクトに格納され、小スペース化が達成されるにもかかわらず、使用時には缶入り飲料等のカップ類を載置する受け部と、該カップ類の高さ方向中間部乃至上部を支持するサポート部との距離を十分にとることができ、非常に安定的にカップ類を保持することができるカップホルダーに関する。
【０００２】
【従来の技術及び発明が解決しようとする課題】
従来から、自動車内のインストルメントパネルに、缶入り飲料等を保持するカップホルダーを組み込むことが行われているが、近年、自動車の車内には多数，多種類のアクセサリー類が設置されるようになってきており、カップホルダーの設置箇所も必然的に大きな制約を受け、小スペース化を実現することができるカップホルダーが望まれている。
【０００３】
比較的小スペースでインストルメントパネル部分に設置可能なカップホルダーとして、実開平４−２４８２８号公報に回転格納式のカップホルダーが開示されている。
【０００４】
即ち、このカップホルダーは、図６（Ｃ）に示したように、上端面が解放したトレー部ａに一対の略リング状ホルダー部ｂ，ｂをそれぞれ回動可能に取り付け、図６（Ｂ）に示したように、上記トレー部ａをコンソールｄの上部に埋設すると共に、上記ホルダー部ｂ，ｂをコンソールｄとインストルメントパネルｅとの合わせ部に配置して設置するものである。そして、図６（Ｂ）に示されているように、常時は両ホルダー部ｂ，ｂをコンソールｄとインストルメントパネルｅとの合わせ部に格納しておき、図６（Ａ）に示したように、使用時には、ホルダー部ｂを回動させてコンソールｄとインストルメントパネルｅとの合わせ部から上記トレー部ａ上に引き出し、このホルダー部ｂを通してトレー部ａ内に缶入り飲料等のカップ類ｃを載置することにより、トレー部ａでカップ類ｃを受けると共に、該カップ類ｃの上下方向中間部乃至上部をホルダー部ｂで支持してカップ類ｃを保持するものである。
【０００５】
このカップホルダーによれば、確かにインストルメントパネルｅにおける小スペース化を達成することができるが、コンソールｄ上に上記トレー部ａを設置するスペースを要し、必ずしも十分な小スペース化が達成されるものではない。
【０００６】
また、このカップホルダーは、図６から明かなように、コンソールｄ上に常にトレー部ａが露出することとなるので非使用時の外観に劣り、この場合、非使用時にはこのトレー部ａを小物入れ等として使用することは可能ではあるが、小物入れ等として使用した場合には、収容した小物類を取り出さなければカップホルダーとして使用することができず、はなはだ使い勝手の悪いものとなってしまう。従って、いつでもカップホルダーとして使用し得る状態としておくためには、上記トレーａ内を常に空にしておかなければならず、非使用時にはコンソールｄ上に比較的大きなスペースを占有するトレー部ａが無用の長物となり、むしろスペースを有効に使用することができないものである。
【０００７】
更に、このカップホルダーは、カップ類ｃを受けるトレー部ａをコンソールｄに埋設し、サポート部ｂ，ｂをその上方に配置するようになっているので、その設置箇所がインストルメントパネルｅ中央の下部とコンソールｄ前端部との間に限定され、このため自動車室内の各種計器類，各種操作ボタン，その他のアクセサリーなどの設計レイアウトに制約を課すこととなってしまう。
【０００８】
一方、非使用時にはサポート部と共にカップ類を受けるトレー部分もインストルメントパネル内に格納することができ、使用時にこれらサポート部及びトレー部をインストルメントパネルから引き出して使用する、所謂引き出しタイプのカップホルダーも種々提案され、また実施されている。
【０００９】
しかしながら、このような引き出しタイプのカップホルダーで、運転手と助手席同乗者が同時に使用できるように２つのカップ類を保持し得る機能を得ようとすれば、おのずと幅をとることとなり、また安定的にカップ類を保持しようとすれば、カップ類のできるだけ上部をサポート部で支持する必要があるため、カップ類を受けるトレー部とカップ類の周囲を支持するサポート部との距離を長くとらなければならず、これがカップホルダー全体の厚みを厚くすることとなり、おのずとインストルメントパネル上におけるカップホルダー格納部の占有面積が大きくなってしまうのが現状である。
【００１０】
本発明は、上記事情に鑑みなされたもので、非使用時にはインストルメントパネルなどに格納しておくことができる引き出し式のカップホルダーであるにもかかわらず、非常にコンパクトに格納することができインストルメントパネル上を大きく占有するようなことがなく、しかも２つのカップ類を安定的に保持することが可能なカップホルダーを提供することを目的とする。
【００１１】
【発明が解決しようとする課題】
本発明は、上記目的を達成するため、前端面が開放した箱型の格納部と、該格納部に前後方向移動可能に収容され、前方移動限において前部が格納部前端面から突出する引出体と、カップ挿通孔を有し、上記引出体に、回動可能でかつ上下方向揺動可能に取り付けられた左右一対のサポート体と、上記両サポート体をそれぞれ互いに相反する外側方へと回動するように付勢する付勢手段と、上記引出体に上記両サポート体の基端部下方に存してそれぞれ設けられ、ぞれぞれサポート体の付勢方向に向かって漸次高さが高くなるガイド突起を具備してなり、上記引出体が上記格納部内に格納された常時は、上記サポート体が格納部の両側壁に押圧されて上記付勢手段の付勢力に抗して互いに重なった状態で格納され、引出体を格納部から引き出した際には、格納部両側壁の押圧力から解放された上記両サポート体がそれぞれ外側方へと回動すると共に、上記ガイド突起に案内されてそれぞれの自由端側が上方へと持ち上がるように構成したことを特徴とするカップホルダーを提供する。
【００１２】
本発明のカップホルダーは、常時は２つのサポート体を上記引出体と共に、上記格納部内に格納しておき、使用時にこの引出体とサポート体とを格納部から引き出して、引出体上にカップ類を載置すると共に、その上下方向中間部乃至上部を上記サポート体で支持することにより、カップ類を保持するものである。
【００１３】
この場合、本発明のカップホルダーによれば、上述のように、運転手用と助手席同乗者用の２つのカップ類を保持し得る機能を有し、非使用時にはインストルメントパネルなどに格納しておくことができる引き出し式のカップホルダーであるにもかかわらず、格納時には２つのサポート体が互いに重なり合った状態で格納部内に収容されるので大きな幅を要することがなく、使用時に引出体を引き出した際に両サポート体がそれぞれ外側へと回動して使用可能な状態となるものである。
【００１４】
また、引出体を引き出して使用する際には、２つのサポート体は、付勢手段により自動的にそれぞれ外側へと回動すると共に、上記ガイド突起の作用によって上方へと起き上がるように揺動するので、格納時に、互いに重なり合った２つのサポート体とカップ類を載置する引出体の上面とを非常に近接させた状態としても、使用時には上方へと起き上がったサポート体によってカップ類のできるだけ上部を支持するようにすることができ、格納時の厚みを薄く設計しても使用時には安定した保持状態を確保することができるものである。
【００１５】
従って、本発明のカップホルダーによれば、非使用時にはインストルメントパネルなどに格納しておくことができる引き出し式のカップホルダーであるにもかかわらず、非常にコンパクトに格納することができ、インストルメントパネル上を大きく占有するようなことがなく、しかも２つのカップ類を安定的に保持することができるものである。
【００１６】
【発明の実施の形態及び実施例】
以下、実施例を示し本発明をより具体的に説明する。
図１〜５は、本発明の一実施例にかかるカップホルダーを示すものであり、このカップホルダーは、自動車のインストルメントパネルなどに埋設されるユニット本体（格納部）１と該ユニット本体１に前後方向移動可能に収容された引出体２と、該引出体２に回動可能で、かつ上下方向揺動可能に取り付けられた一対のサポート体３ａ，３ｂとを具備している。
【００１７】
上記ユニット本体１は、前端面及び後端面が開放していると共に、上端面はその前側の約半分が上端壁により閉塞され、中間部から後端部までが開放した略箱型のものである。
【００１８】
このユニット本体１の両側壁１２，１２内面には、それぞれ前後方向に沿ってガイド溝１３，１３が形成されていると共に、上端壁１１の後端縁部中央部には部分的に切り欠かれた如き形状の凹部１４が形成されており、また開放した前端面外周縁部には小さな四角リング状のフランジ１５が全周に亘って形成されている。
【００１９】
また、上記引出体２は、四角形の基板２１の前端に四角板状の蓋板２２を一体に形成し、更に該基板２１の両側縁部の前後方向中間部から後端にかけてそれぞれ側壁２３，２３を一体に立設すると共に、後端縁部に両側壁２３，２３と一体に連結した後壁２４を一体に立設したものである。
【００２０】
上記引出体２の両側壁２３，２３の外面には、それぞれ前後方向に沿ってガイド突条２３１，２３１が突設されており、このガイド突条２３１，２３１が上記ユニット本体１の両側壁１２，１２内面に形成されたガイド溝１３，１３に摺動可能に嵌入され、これにより引出体２がユニット本体１内をスムーズかつ安定姿勢で移動するようになっている。
【００２１】
上記引出体２の後壁２４の上端中央部には、略鈎状に湾曲した係止片２４１が一体に突設されており、図３に示されているように、この係止片２４１が上記ユニット本体１の上端壁１１後端中央部に形成された凹部１４に係合して、引出体２が係止され、これをもって引出体２の前方移動限となるようになっている。そして、この前方移動限において、引出体２の両側壁２３，２３よりも前方部分がユニット本体１の前端面から突出するようになっている。
【００２２】
上記引出体２の基板２１上面前部両側部には、半円状の凹部２１１，２１１が形成されており、この凹部２１１，２１１がカップ類の載置されるカップ受け部となっている。また、基板２１上面の両側壁前端部近傍には、それぞれ円筒状のビス止め部２５ａ，２５ｂが一体に突設されていると共に、これらビス止め部２５ａ，２５ｂを挟んでぞれぞれ前方にガイド突起２６ａ，２６ｂ、後方にバネ止め壁２７，２７が一体に突設されている。ここで、図４，５に示されているように、上記一方のビス止め部２５ａの高さｈ1（図４（Ａ）参照）は、他方のビス止め部２５ｂの高さｈ2（図５（Ａ）参照）よりも高くなっている。また、上記ガイド突起２６ａ，２６ｂは、いずれも基板２１の側縁部側へと向かうに従って漸次高さが高くなる円弧状に湾曲した小壁状のものであり、図４，５に示されているように、一方のガイド突起２６ａの最低端部の高さｈ3（図４（Ｂ）参照）の方が、他方のガイド突起２６ｂの最低端部の高さｈ4（図４（Ｂ）参照）よりも高くなっている。
【００２３】
次に、上記サポート体３ａ，３ｂは、いずれも円形リング状サポート部３１の外周面の一部に薄肉略三角板状の基端片３２を段差を介して一体に突設したものであり、上記サポート部３１の中空部がカップ挿通孔３４となっていると共に、上記基端片３２には、ビス挿通孔（回動孔）３３が穿設されている。
【００２４】
このサポート体３ａ，３ｂは、それぞれ基端片３２を上記引出体２のビス止め部２５ａ，２５ｂ上に載置して、該基端片３２に設けられたビス挿通孔３３を通してタッピングスクリュー４，４をビス止め部２５ａ，２５ｂに捩じ込むことにより、引出体２に取り付けられている。
【００２５】
この場合、図４，５に示されているように、タッピングスクリュー４の軸部は、ビス止め部２５ａ，２５ｂの上端から上方へと大きく突出した状態となり、このタッピングスクリュー４の軸部が回動軸となって、各サポート体３ａ，３ｂが回動可能となっており、また各サポート体３ａ，３ｂのビス挿通孔３３はタッピングスクリュー４の軸部よりも大径に形成されており、これにより各サポート体３ａ，３ｂは上下方向に揺動可能な状態となっている。更に、上記タッピングスクリュー４の軸部はビス挿通孔３３の上端から大きく突出し、この軸部に巻回された状態に取り付けられたコイルバネ５により両サポート体３ａ，３ｂの基端片３２が下方へと押圧付勢されており、またこのコイルバネ５の一端部が上記バネ止め壁２７に係止されている（図示せず）と共に、他端部が各サポート体３ａ，３ｂの側面に当接して（図示せず）、各サポート体３ａ，３ｂを一回動方向に押圧し、これによって両サポート体３ａ，３ｂが互いに相反する外側方（それぞれ図３中の矢印Ａ方向，矢印Ｂ方向）へと回動するように付勢されている。
【００２６】
このカップホルダーは、図２に示されているように、２つのサポート体３ａ，３ｂがそれぞれユニット本体（格納部）１の両側壁に押圧されコイルバネ５，５の付勢力に抗して互いに内側へと回動し、互いに重なり合った状態で、上記引出体２と共に上記ユニット本体（格納部）１内に格納され、引出体２前端部の蓋板２２により引出体２の前端面が塞がれた状態となっている。
【００２７】
この状態からカップホルダーを使用する場合には、上記蓋板２２に指を掛けて引出体２をユニット本体１から引き出し、前方移動限まで移動させて、該引出体２の前部をユニット本体１の前端面から突出させる。
【００２８】
すると、図３に示されているように、ユニット本体１の両側壁の押圧力から解放された上記両サポート体３ａ，３ｂが上記コイルバネ５，５の付勢力によってそれぞれ外側方へと回動すると共に、上記ガイド突起２６ａ，２６ｂに案内されてそれぞれの自由端側が上方へと持ち上がり、それぞれ引出体２の基板２１上面に形成されたカップ受け部２１１，２１１の上方に位置した状態となる。このとき、図４（Ｂ）及び図５（Ｂ）に示されているように、一方のサポート体３ａ先端の高さｈ5と他方のサポート体３ｂの先端の高さｈ6とはほぼ同じ高さとなる。
【００２９】
この状態で各サポート体３ａ，３ｂのカップ挿通孔３４，３４を通して、引出体２の基板２１に設けられたカップ受け部２１１，２１１上に缶入り飲料等のカップ類を載置すると共に、該カップ類の上下方向中間部乃至上部を上記サポート体３ａ，３ｂのカップ挿通孔３４内周面で支持することにより、カップ類を保持するものである。
【００３０】
そして、使用後再びユニット体１内に格納する場合には、引出体２をユニット本体１内に蓋板２２がユニット本体１の前端面に当接するまで押し込み、上記両サポート体３ａ，３ｂと引出体２をユニット本体１内に格納する。
【００３１】
この場合、引出体２をユニット本体１内に押し込むことにより、両サポート体３ａ，３ｂの側面がユニット本体１の両側壁１２，１２の内面に当接し、更に引出体２を押し込むことにより、両サポート体３ａ，３ｂが上記コイルバネ５，５の付勢力に抗して互いに内側へと回動し、両サポート体３ａ，３ｂと引出体２とがユニット本体１内に格納される。
【００３２】
このとき、図４（Ａ）及び図５（Ａ）に示されているように、一方のサポート体３ａが取り付けられたビス止め部２５ａの高さｈ1が、他方のサポート体３ｂが取り付けられたビス止め部２５ｂの高さｈ2よりも高くなっており、また図４（Ｂ）及び図５（Ｂ）に示されているように、一方のサポート体３ａをガイドするガイド突起２６ａの最低端部の高さｈ3の方が、他方のサポート体３ｂをガイドするガイド突起２６ｂの最低端部の高さｈ4よりも高くなっているので、格納時の一方のサポート体３ａの高さｈ7（サポート体３ａ下面までの高さ、図４（Ａ）参照）は他方のサポート体３ｂの高さｈ8（サポート体３ｂ上面までの高さ図５（Ａ）参照）よりもやや高くなり、格納時に内側へと回動する一方のサポート体３ａの下側に他方のサポート体３ｂがもぐり込み、自動的に両サポート体３ａ，３ｂが重なり合うようになっている。
【００３３】
このように、このカップホルダーによれば、運転手用と助手席同乗者用の２つのカップ類を保持し得る機能を有し、非使用時にはインストルメントパネルなどに埋設したユニット本体１内に格納しておくことができる引き出し式のカップホルダーであるにもかかわらず、格納時には２つのサポート体３ａ，３ｂが互いに重なり合った状態でユニット本体１内に収容されるので大きな幅を要することがなく、使用時に引出体２を引き出した際に両サポート体３ａ，３ｂがそれぞれ外側へと回動して使用可能な状態となるものである。
【００３４】
また、引出体２を引き出して使用する際には、２つのサポート体３ａ，３ｂはそれぞれ外側へと回動すると共に、上記ガイド突起２６ａ，２６ｂの作用によって先端側が上方へと起き上がるように揺動するので、格納時に、互いに重なり合った２つのサポート体３ａ，３ｂとカップ類を載置する引出体２の基板２１上面とを非常に近接させた状態としても、使用時には上方へと起き上がったサポート体３ａ，３ｂによってカップ類のできるだけ上部を支持することができ、格納時の厚みを薄く設計しても使用時には安定した保持状態を確保することができるものである。
【００３５】
従って、本発明のカップホルダーによれば、非使用時にはインストルメントパネルなどに格納しておくことができる引き出し式のカップホルダーであるにもかかわらず、非常にコンパクトに格納することができ、インストルメントパネル上を大きく占有するようなことがなく、しかも２つのカップ類を安定的に保持することができるものである。
【００３６】
なお、本発明のカップホルダーは、上記実施例に制限されるものではなく、例えば上記実施例では略四角箱型のユニット本体１と引出体２とを組み合わせてこのユニット本体１により格納部を構成したが、自動車のインストルメントパネルにユニット本体１に代わる格納部を直接形成してもよい。また、上記実施例では手動により引出体２の出し入れを行うようにしたが、適宜な付勢手段とロック手段とを設けて自動的に引き出し動作又は格納動作を行うようにしてもよい。更に、上記実施例では、タッピングスクリュー４の軸部（回動軸）と両サポート体３ａ，３ｂの基端片３２に設けられたビス挿通孔（回動孔）３３との間に適度なクリアランスを設けて、両サポート体３ａ，３ｂを回動可能でかつ上下方向揺動可能に取り付けたが、サポート体３ａ，３ｂの取付態様はこれに限定されるものではなく、例えばサポート体３ａ，３ｂの基端片３２は単に回動可能な状態とし、この基端片３２とサポート部３１との間にサポート体３ａ，３ｂの先端側を上方に折曲可能な折曲部を設け、この折曲部によりサポート体３ａ，３ｂの先端側を上方に揺動させるようにしてもよい。更にまた、引出体２、サポート体３ａ，３ｂ、ガイド突起２６ａ，２６ｂ等の形状や取付態様、サポート体３ａ，３ｂの付勢方法など、その他の構成についても本発明の要旨の範囲内で適宜変更して差し支えない。
【００３７】
【発明の効果】
以上説明したように、本発明のカップホルダーによれば、非使用時にはインストルメントパネルなどに格納しておくことができる引き出し式のカップホルダーであるにもかかわらず、非常にコンパクトに格納することができインストルメントパネル上を大きく占有するようなことがなく、しかもカップ類を載置するカップ受け部とカップ類の上下方向中間部乃至上部を支持するサポート部との距離を十分にとって２つのカップ類を安定的に保持することができるものである。
【図面の簡単な説明】
【図１】本発明の一実施例にかかるカップホルダーを示す分解斜視図である。
【図２】同カップホルダーの非使用時の状態を示す斜視図である。
【図３】同カップホルダーの使用時の状態を示す一部を省略した斜視図である。
【図４】同カップホルダーを構成する一方のサポート体の動作を説明する概略断面図であり、（Ａ）は格納時の状態、（Ｂ）は使用時の状態を示す。
【図５】同カップホルダーを構成する他方のサポート体の動作を説明する概略断面図であり、（Ａ）は格納時の状態、（Ｂ）は使用時の状態を示す。
【図６】従来のカップホルダーを示すものであり、（Ａ）は使用状態を示す部分拡大斜視図、（Ｂ）は非使用時の状態を示す斜視図、（Ｃ）は分解斜視図である。
【符号の説明】
１  ユニット本体（格納部）
２  引出体
２６ａ，２６ｂ  ガイド突起
３ａ，３ｂ  サポート体
３３  ビス挿通孔（回動孔）
３４  カップ挿通孔
４  タッピングスクリュー（回動軸）
５  コイルバネ（付勢手段）
【図１】
0003925577.tif 000002
【図２】
0003925577.tif 000003
【図３】
0003925577.tif 000004
【図４】
0003925577.tif 000005
【図５】
0003925577.tif 000006
【図６】
0003925577.tif 000007